(57)【要約】【課題】コストおよび負荷の大幅な増加を招くことなく、使い勝手を向上させることができるとともに、室内のデザインとの調和も取りやすくなる照明制御装置を提供する。【解決手段】照明制御装置１は、空調機器を構成する操作パネル３に設けられている温度検出部１１で検出された温度を検出温度として取得する温度取得部１４と、温度取得部１４で取得した検出温度が予め設定されている誤差範囲内で予め設定されている判定温度に一致すると、照明機器４の点灯状態および消灯状態を切り替えるための切替条件が成立したと判定する判定部１５と、判定部１５により切替条件が満たされたと判定されると、照明機器４を点灯状態または消灯状態に切り替える切替部１３と、を備える。【選択図】図３
2014175073.tif 000002
【特許請求の範囲】
【請求項１】
部屋の温度を検出する温度検出手段で検出した部屋の温度を予め設定されている温度範囲内となるように空調を行う空調機器が設けられた部屋において、当該部屋に設けられている照明機器の点灯状態および消灯状態を制御するための照明制御装置であって、
前記空調機器の前記温度検出手段で検出された温度を検出温度として取得する温度取得手段と、
前記温度取得手段で取得した前記検出温度が、人の体温に基づいて前記温度範囲とは別に設定されている判定温度と予め設定されている誤差範囲内で一致すると、前記照明機器の点灯状態および消灯状態を切り替えるための切替条件が成立したと判定する判定手段と、
前記判定手段により前記切替条件が満たされたと判定されると、前記照明機器を点灯状態または消灯状態に切り替える切替手段と、
を備えることを特徴とする照明制御装置。
【請求項２】
前記温度検出手段は、その検出領域が遠方になるほど拡大するように形成されている
ことを特徴とする請求項１記載の照明制御装置。
【請求項３】
前記温度検出手段は、その検出領域が遠方になるほど拡大する複数の赤外線温度センサを、それぞれの検出領域が互いに異なるように配置して構成されており、
前記温度取得手段は、複数の前記赤外線温度センサにて個別に検出された温度である個別検出温度をさらに取得し、
前記判定手段は、前記温度取得手段により取得された前記個別検出温度の全てが前記判定温度に対して前記誤差範囲内で一致すると、前記切替条件が成立したと判定する
ことを特徴とする請求項１または２記載の照明制御装置。
【請求項４】
前記判定温度は、人の露出部分の温度に基づいて設定されている
ことを特徴とする請求項１から３のいずれか一項記載の照明制御装置。
【請求項５】
前記温度検出手段は、その検出領域が遠方になるほど拡大するように形成されており、
前記温度検出手段の視野角αと、人の厚みＬ１と、人の幅Ｌ２と、前記距離範囲の上限の距離Ｌ３とは、
α＞２×ｔａｎ-1（（Ｌ１／２）／（Ｌ３＋Ｌ２／２））
の式を満たすものである
ことを特徴とする請求項１から４のいずれか一項記載の照明制御装置。
【発明の詳細な説明】
【技術分野】
【０００１】
本発明は、部屋に設けられている照明機器の点灯状態および消灯状態を制御する照明制御装置に関する。
【背景技術】
【０００２】
室内に空調機器と照明機器とが設けられている場合、それぞれの機器は、個別の操作手段から操作が入力される。具体的には、空調機器には運転／停止を指示するスイッチや室温を取得する温度センサ等を備えた操作パネルが設けられており、照明機器には点灯状態／消灯状態を切り替えるためのスイッチが設けられている。そのため、一般的には、部屋の例えば壁には複数の操作手段が設けられている。
【０００３】
さて、それらの操作手段を一体化できれば、人が最も操作しやすい位置に操作手段を配置することができ、使い勝手がよくなると考えられる。また、壁に配置される部品が少なくなるので、室内のデザインとの調和も取りやすくなり、人の満足度も向上すると考えられる。この場合、操作パネルは温度設定等のために必須であることから、照明機器用のスイッチを操作パネル側に設けることが現実的である。
【０００４】
しかしながら、単に操作パネルと照明機器用のスイッチとを一体化させただけでは、操作パネルの外形が大型化してしまい、上記した使い勝手の向上やデザインとの調和が取れなくなる。かといって、例えば空調機器の温度検出手段を特許文献１のような複数機能を有する検出素子に変更した場合には、部品のコストが増加してしまうとともに、例えば人を検知する等の従来では行われていない検出ロジック等を構築・追加する必要があり、操作パネル側の負荷が増加してしまう。
【先行技術文献】
【特許文献】
【０００５】
【特許文献１】特開平８−１１２４８９号公報
【発明の概要】
【発明が解決しようとする課題】
【０００６】
本発明は、上記事情に鑑みてなされたものであり、その目的は、コストおよび負荷の大幅な増加を招くことなく、使い勝手を向上させることができるとともに、室内のデザインとの調和も取りやすくなる照明制御装置を提供することにある。
【課題を解決するための手段】
【０００７】
請求項１記載の発明によれば、空調機器の温度検出手段で検出された温度を検出温度として取得し、検出温度が、人の体温に基づいて設定されている判定温度と予め設定されている誤差範囲内で一致すると、照明機器の点灯状態および消灯状態を切り替える切替条件が成立したと判定して、照明機器を点灯状態または消灯状態に切り替える。
【０００８】
照明機器を点灯状態または消灯状態に切り替える操作（以下、切替操作と称する）は人によって行われることから、切替操作が行われたか否かを判定するためには、人によって何らかの操作が行われたことを検知すればよい。つまり、切替操作を検知するためには、人の体温を判断基準とすればよいと考えられる。そのため、空調機器が従来から備えている温度検出手段にて検出した温度に基づいて切替条件が成立したかを判定する。これにより、照明機器を点灯状態または消灯状態に切り替えるための操作（以下、切替操作と称する）が行われたことを判定することができるとともに、判定するために新たな構成を追加する必要がない。また、温度検出手段による温度の検出および検出した温度が設定温度であるかの判定は空調機器では従来から行われているため、切替操作が行われたことを判定するために新たなロジックを構築あるいは追加する必要がない。
【０００９】
これにより、照明制御装置では、従来構成のまま、新たな検出素子や検出ロジック等を構築・追加することなく、照明機器を点灯状態または消灯状態に切り替えることができる。すなわち、コストおよび負荷の大幅な増加を招くことなく、使い勝手を向上させることができるとともに、室内のデザインとの調和も取りやすくなる。
【００１０】
請求項２記載の発明によれば、温度検出手段は、その検出領域が遠方になるほど拡大するように形成されている。温度検出手段は、空調制御のために部屋の温度を検出する必要があることから、部屋の反対側の温度を検出可能となっていることが想定される。その一方、照明制御装置は、温度検出手段から離れた部屋の反対側等に居る人の温度を検出してしまうと、切替操作が行われたと誤判定するおそれがある。
【００１１】
そこで、温度検出手段をその検出領域が遠方になるほど拡大するように形成することで、温度検出手段に近い位置に人が居る場合にのみ検出領域の全てが人により遮られる状態を作り出すことができる。すなわち、温度検出手段で検出した温度が判定温度に一致するのは、温度検出手段に近い位置に人が居る場合のみとなる。これにより、温度検出手段から離間した位置に居る人が切替操作の判定対象となることがなく、切替操作が行われたと誤判定することを防止できる。
【００１２】
請求項３記載の発明によれば、温度検出手段は、その検出領域が遠方になるほど拡大する複数の赤外線温度センサを、それぞれの検出領域が互いに異なるように配置して構成されており、複数の赤外線温度センサにて個別に検出された温度である個別検出温度の全てが判定温度に一致すると、切替条件が成立したと判定する。
【００１３】
温度検出手段は、いわゆるセンサアレイのように複数の赤外線温度センサを並べ、異なる検出領域の温度を検出する構成となっていることが想定される。この場合、それぞれの赤外線温度センサの検出領域は、温度検出手段の全体の検出領域よりも小さくなっている。このため、１つの赤外線温度センサで検出した温度だけが判定温度に一致している状況では、人が温度検出手段から離間した位置に居ると考えられる。そして、そのような場合には、切替操作を行っているとは考えにくい。
【００１４】
そこで、複数の赤外線温度センサで検出した個別検出温度の全てが判定温度に一致することを条件に加えている。赤外線温度センサの検出領域は遠方になるほど拡大するため、それぞれの赤外線温度センサにて検出した個別検出温度の全てが判定温度に一致するのは、人が温度検出手段に近い位置に居る場合のみとなる。これにより、切替操作が行われたか否かを誤判定することを防止できる。
【００１５】
請求項４記載の発明によれば、判定温度は、人の露出部分の温度に基づいて設定されている。人は衣類を着用することから、例えば胴体部の温度は、人の体温よりも低く検出される可能性がある。そこで、顔や手など衣類から露出している露出部分の温度に基づいて判定温度を設定すれば、人が切替操作を行ったか否かを正確に判定できるようになる。この場合、人の露出部分の温度は、概ね３５〜３６程度であると考えられる。一方、空調機器の場合、設定可能な部屋の温度（設定温度）は、一般的には３０℃程度までである。このため、人の露出部分の温度と設定温度との間には、大きな温度差がある。そこで、人の露出部分の温度に基づいて判定温度に設定することにより、部屋の温度との温度差が大きいことから、誤判定するおそれを低減することができる。
【００１６】
この場合、人が照明機器を操作しようとするときには例えば手のひらをかざすようなことが一般的であると考えられる。そのため、人の露出部分の温度を判定温度とすることで、例えば手のひらがかざされたと判定することができる。つまり、人の露出部分の温度に基づいて判定温度を設定することは、切替操作が行われたことの裏付けを得たことでもあり、確実に切替操作が行われたかの判定の確度を高めることができる。
【００１７】
請求項５記載の発明によれば、温度検出手段の視野角αと、人の厚みＬ１と、人の幅Ｌ２と、人との距離Ｌ３とは、
α＞２×ｔａｎ-1（（Ｌ２／２）／（Ｌ３＋Ｌ１／２））
の式を満たしている。
【００１８】
切替操作を行う場合、人は、例えば手をかざす等の動作を行うために照明制御装置の近く（つまり、温度検出手段の近く）に位置していると考えられる。逆に言えば、照明制御装置から離間した位置に人が位置している場合には、切替操作を行っていないと考えられる。そのため、切替操作を行っていないと考えられる距離を距離Ｌ３とした場合、その距離Ｌ３において人が温度検出手段の視野角αを塞いだ状態とならなければ、誤判定することを防止できると考えられる。そのため、温度検出手段の視野角αが上記した式を満たす関係になるようにすることで、距離Ｌ３の位置に人が居たとしても検出領域の全体が人により遮られることがなくなり、切替操作が行われたと誤判定することを防止できる。
【図面の簡単な説明】
【００１９】
【図１】本発明の一実施形態による照明制御装置を設けた部屋の一例を示す側面図
【図２】照明制御装置を設けた部屋の一例を示す平面図
【図３】照明制御装置の電気的構成を模式的に示す図
【図４】温度検出部の視野角を模式的に示す図
【図５】照明制御装置による照明制御処理の流れを示す図
【図６】距離範囲の下限の距離と温度検出部の視野角との関係を模式的に示す図
【図７】人までの距離と温度検出部の視野角との関係を模式的に示す図
【発明を実施するための形態】
【００２０】
以下、本発明の一実施形態について、図１〜図７を参照しながら説明する。
図１および図２に示すように、本実施形態の照明制御装置１は、空調機器を構成する空調機本体２が有する操作パネル３によって構成されている。つまり、本実施形態では、操作パネル３を、照明機器４の点灯状態および消灯状態を制御するための照明制御装置１として流用している。照明制御装置１としての操作パネル３は、部屋５の出入り口の近傍、より詳細には、人Ｍが扉６を開け閉めする際に手で操作可能な高さで壁７に配置されている。空調機器は、本実施形態ではいわゆる２４時間空調を行っており、部屋５の温度が予め設定された設定温度範囲内となるように空調をおこなっている。
【００２１】
照明制御装置１は、照明機器４の点灯状態および消灯状態を切り替える制御を行う。この制御の詳細については後述するが、照明制御装置１は、照明機器４を点灯状態または消灯状態に切り替えるための操作（切替操作）が行われたか否かを判定することで、照明機器４の点灯状態および消灯状態を切り替えている。この照明制御装置１は、部屋５の例えば天井等に設けられている照明機器４に接続している。なお、照明制御装置１と照明機器４とを接続する配線は、実際には壁７の内部で行われている。
【００２２】
照明制御装置１は、図３に示すように、制御部１０、温度検出部１１、表示操作部１２、切替部１３、温度取得部１４および判定部１５を有している。制御部１０は、ＣＰＵ１０ａ、ＲＯＭ１０ｂおよびＲＡＭ１０ｃ等を有するマイクロコンピュータにより構成されており、照明制御装置１全体を制御する。なお、制御部１０は、温度検出部１１にて検出した部屋５の温度や表示操作部１２から入力された設定温度等を空調機本体２へ通知したり、部屋５の温度を表示操作部１２へ表示したりする等、空調機器の操作パネル３としての処理も実行している。
【００２３】
温度検出部１１は、本実施形態では４つの赤外線温度センサ１１ａ〜１１ｄにより構成されている。この温度検出部１１は、図４に示すように、遠方になるほど、つまり、温度検出部１１本体から離間するほどその検出領域が拡大し、全体として視野角αの検出領域を有している。また、温度検出部１１を構成する各赤外線温度センサ１１ａ〜１１ｄも、センサ本体から離間するほどその検出領域が拡大する視野角βを有している。そして、温度検出部１１は、これらの赤外線温度センサ１１ａ〜１１ｄを、その検出領域が互いに異なるように配置して構成されている。
【００２４】
ここで、「検出領域が互いに異なる」とは、検出領域が互いに重なっていないことを意味しているのではなく、「完全に一致した状態にはなっていない」ことを意味している。具体的には、隣接するセンサと検出領域の一部が重なっていてもよいし、あるセンサＡの検出領域が他のセンサＢの検出領域に完全に含まれている状態であっても、センサＢの検出領域がセンサＡの検出領域より広ければ、検出領域が異なっていると言える。また、図４および図２に示すような平面方向で検出領域が一致していたとしても、図１に示すような高さ方向で検出領域が一致していなければ、検出領域が異なっていると言える。
【００２５】
この温度検出部１１は、その外形が概ね１ｃｍ程度の大きさに形成されており、そのセンサ面が操作パネル３の表面に露出した状態で配置されている。このため、操作パネル３に人Ｍが例えば手のひらを近づけると、温度検出部１１の検出領域が人Ｍの手のひらにより覆われた状態となる。温度検出部１１は、制御部１０等とともに、特許請求の範囲に記載した温度検出手段を構成する。
表示操作部１２は、例えばＬＣＤ表示器や操作スイッチ（いずれも図示省略）を有しており、温度検出部１１で検出した部屋５の温度の表示や、温度設定のための操作入力を受け付ける。この表示操作部１２は、従来構成の空調機器にも備えられている。
【００２６】
切替部１３は、照明機器４の点灯状態および消灯状態を切り替える。なお、照明機器４を切り替えるための具体的な構成については、照明機器４の仕様に基づいて適宜設定すればよい。例えば、電力供給の有無で点灯／消灯が切り替わる照明機器４であれば、切替部１３にリレー等を設け、照明機器４への電力の供給を停止あるいは開始する構成が考えられる。あるいは、外部接点がＯＮであれば点灯し、ＯＦＦであれば消灯するような接点信号により点灯／消灯が切り替わる照明機器４であれば、切替部１３にリレー等を設け、リレーをＯＮ／ＯＦＦすることで照明機器４の点灯状態および消灯状態を切り替える構成が考えられる。いずれにしろ、照明機器４を制御するために従来用いていた構成を採用すればよい。
【００２７】
温度取得部１４は、温度検出部１１で検出した温度、つまり、赤外線温度センサ１１ａ〜１１ｄにより検出された部屋５の温度を検出温度として取得する。この検出温度は、周知のように、部屋５の空調に利用される。また、温度取得部１４は、本実施形態の場合、赤外線温度センサ１１ａ〜１１ｄごとの個別の検出温度（個別検出温度）を取得する。この個別検出温度は、後述するように、切替操作が行われたか否かの判定のために利用される。温度取得部１４は、制御部１０等とともに、特許請求の範囲に記載した温度取得手段を構成する。
【００２８】
判定部１５は、温度検出部１１で検出した部屋５の温度（検出温度）が、人Ｍによって設定された設定温度範囲内であるか否かを判定する。そして、判定部１５は、周知のように、検出温度が設定温度範囲を外れていれば、部屋５の温度が設定温度範囲内になるように空調機本体２を駆動する。さらに、本実施形態においては、判定部１５は、各赤外線温度センサ１１ａ〜１１ｄにて個別に検出された個別検出温度の全てが、予め設定されている判定温度（後述する手のひら判定温度）に予め設定されている誤差範囲内で一致するか否かを判定する。この判定が、切替操作が行われたか否かの判定となる。判定部１５は、制御部１０等とともに、特許請求の範囲に記載した判定手段を構成する。
【００２９】
このように、照明制御装置１の温度取得部１４および判定部１５は、空調機器が本来備えている構成であるとともに、本実施形態においては、切替操作が行われたか否かを判定するための構成にもなる。
次に、上記した構成の作用について説明する。
まず、照明制御装置１が、切替操作が行われた（切替条件が成立した）ことをどのように判定しているのかについて説明する。
【００３０】
照明制御装置１は、温度検出部１１の４つの赤外線温度センサ１１ａ〜１１ｄで検出された個別検出温度の全てが、予め定められている誤差範囲内で判定温度に一致すると、切替条件が成立したと判定する。本実施形態では、判定温度には人Ｍの体温（本実施形態では、露出部分である手のひらの温度）が設定されている。以下、判定温度を便宜的に手のひら判定温度と称する。本実施形態の場合、手のひら判定温度が３５℃に設定され、誤差範囲は手のひら判定温度±２℃の範囲に設定されている。
【００３１】
空調機器に設定される温度（設定温度）は、一般的にはその上限が３０℃程度である。このため、上記したように２４時間空調を行っている場合、部屋５の温度が３５℃付近となるとは考えにくい。特に、本実施形態のように検出領域が異なる４つの赤外線温度センサ１１ａ〜１１ｄにて検出された個別検出温度の全てが手のひら判定温度になるのは、人Ｍが温度検出部１１の近傍に手のひらを近づけた状態であると考えられる。そのため、照明制御装置１は、温度検出部１１にて３５℃付近の温度が検出された場合に、切替操作が行われたと判定している。
【００３２】
具体的には、照明制御装置１は、図５に示す照明制御処理を実行しており、温度検出部１１で検出した検出温度が設定温度範囲から外れたか否かを判定している（Ｓ１）。照明制御装置１は、検出温度が設定温度範囲から外れていない場合には（Ｓ１：ＮＯ）、待機する。一方、照明制御装置１は、検出温度が設定温度範囲から外れた場合には（Ｓ１：ＹＥＳ）、４つの赤外線温度センサ１１ａ〜１１ｄにて検出された全ての個別検出温度が誤差範囲内にあるかを判定する（Ｓ２）。
【００３３】
このとき、全ての検出温度が誤差範囲になければ（Ｓ２：ＮＯ）、空調制御用処理を実行する（Ｓ５）。この空調制御用処理は、部屋５の温度を設定温度とするための処理であり、例えば空調機本体２に対して駆動指令を出力する等の周知の処理である。一方、照明制御装置１は、全ての検出温度が誤差範囲にある場合には（Ｓ２：ＹＥＳ）、検出温度が手のひら判定温度に一致するかをさらに判定する（Ｓ３）。このステップＳ３では、検出温度が誤差範囲内で手のひら判定温度に一致するかを判定している。そして、検出温度が手のひら判定温度に一致しなければ（Ｓ３：ＮＯ）、ステップＳ５に移行して空調制御用処理を実行する。
【００３４】
つまり、照明制御装置１は、部屋５の温度が設定温度から外れたために空調を行うという従来と同様の処理を実行している。換言すると、照明制御装置１は、従来の処理の流れを変えることなく、その処理に、切替操作が行われたか否かの判定ステップ（ステップＳ２、Ｓ３）を加えている。
【００３５】
これに対して、照明制御装置１は、全ての検出温度が誤差範囲内にあり（Ｓ２：ＹＥＳ）、且つ、検出温度が手のひら判定温度に一致する場合には（Ｓ３：ＹＥＳ）、切替条件が成立したとして、照明機器４を点灯／消灯する制御を実行する（Ｓ４）。このステップＳ４では、照明機器４が現状で点灯状態であれば消灯状態に切り替え、消灯状態であれば点灯状態に切り替える制御が行われる。この状態は、具体的に言えば図６（ａ）に示すように４つの赤外線温度センサ１１ａ〜１１ｄの検出領域が全て人Ｍの手のひらで全て覆われた状態である。換言すると、人Ｍが照明制御装置１に対して手を近づけてかざした状態である。そのため、この図６（ａ）に示すような状態となったとき、照明制御装置１は、切替操作が行われたと判定する。
【００３６】
ところで、図６（ｂ）に示すように、温度検出部１１の視野角αが１８０度に近いような場合には、人Ｍが手を近づけても全ての個別検出温度が手のひら判定温度に一致しないことが想定される。一方、人Ｍが温度検出部１１から離間している場合には、切替操作が行われたとは考えにくいため、誤判定しないようにする必要がある。
そこで、照明制御装置１は、切替操作が行われたと判定するための距離と温度検出部１１の視野角αとの関係を規定している。
【００３７】
まず、誤判定しない距離（Ｌ３）について説明する。
誤判定しない距離をＬ３とすると、例えば人Ｍが温度検出部１１の前を横切った場合、図７に示すように、視野角αの一部が人Ｍにより遮られる。このとき、人Ｍが仮想的な中心線ＣＬ上に位置していると想定すると、温度検出部１１の視野角αが、人Ｍの最外縁の点Ｐに対応する角度γよりも大きければ、視野角αの全てが遮られることは無い。つまり、図７に示す状態において、視野角αの最外縁となる点Ｑが、点Ｐよりも外側（図示左方）にあればよいことになる。
【００３８】
この場合、中心線ＣＬから点Ｐまでの距離は、人Ｍの厚み（胸板）をＬ１、人Ｍの幅（肩幅）をＬ２とすると、Ｌ１／２となる。そのため、中心線ＣＬから点Ｑまでの距離をＬｘとすると、次の式（１）の関係が求まる。
Ｌｘ＞Ｌ１／２  ・・・式（１）
そして、温度検出部１１から人Ｍまでの距離をＬ３とすると、
ｔａｎ（α／２）＝Ｌｘ／（Ｌ３＋Ｌ２／２）  ・・・式（２）
であるので、
Ｌｘ＝ｔａｎ（α／２）×（Ｌ３＋Ｌ２／２）  ・・・式（３）
となる。これら式（１）および式（３）から、
ｔａｎ（α／２）×（Ｌ３＋Ｌ２／２）＞Ｌ１／２  ・・・式（４）
の関係が求まり、その結果、
α／２＞ｔａｎ-1（（Ｌ１／２）／（Ｌ３＋Ｌ２／２））  ・・・式（５）
すなわち、
α＞２×ｔａｎ-1（（Ｌ１／２）／（Ｌ３＋Ｌ２／２））  ・・・式（６）
の関係が求まる。
【００３９】
この式（６）により、距離Ｌ３における温度検出部１１の視野角αの下限値が求まる。つまり、温度検出部１１の視野角αを式（６）を満たすようなものとすれば、距離Ｌ３（例えば、Ｌ３＝２０ｃｍ）を人Ｍが歩いたような場合であっても、人Ｍが操作を行ったと誤判定しないようにすることができる。つまり、距離Ｌ３は、視野角αの温度検出部１１を採用した場合において人Ｍを誤検知しない距離の下限とも言える。なお、人Ｍの厚みＬ１、人Ｍの幅Ｌ２については、統計的な数値等を適宜設定すればよい。
【００４０】
次に、切替操作が行われたと判定可能な範囲である検出可能範囲の下限の距離（Ｌｍｉｎ）について説明する。
検出可能範囲の下限の距離をＬｍｉｎとすると、その距離Ｌｍｉｎに手のひら（幅がＬ４）が位置している場合に、手のひらが温度検出部１１の視野角αをすべて遮るようになればよい。換言すると、図６（ｂ）に示すような状態にならなければよい。
【００４１】
この場合、図６（ａ）に示すように手のひらの中心が視野角αの中心に位置すると想定し、距離Ｌｍｉｎにおける視野角αの最外縁までの距離をＬｙとすると、
Ｌｙ＜Ｌ４／２  ・・・式（７）
であればよい。以下、上記した式（６）の導出と同様な過程にて算出し、
Ｌｙ／Ｌｍｉｎ＝ｔａｎ（α／２）  ・・・式（８）
であるので、これら式（７）、（８）から、
Ｌｍｉｎ×ｔａｎ（α／２）  ＜  Ｌ４／２  ・・・式（９）
の関係が求まり、最終的に、
２×tan-1（（Ｌ４／２）／Ｌｍｉｎ）  ＞  α  ・・・式（１０）
の関係が求まる。
【００４２】
この式（１０）により、検出可能範囲の下限の距離をＬｍｉｎと設定した場合における温度検出部１１の視野角αの上限値が求まる。換言すると、Ｌｍｉｎを例えば１ｃｍに設定し、１ｃｍ離れた位置において手のひらがかざされたことを判定するためには、温度検出部１１の視野角αが式（１０）を満たすようなものを採用すればよいことが分かる。このとき、手のひらの幅Ｌ４は、統計的な数値等を適宜設定すればよい。
【００４３】
また、上記した（６）式は、人Ｍを誤検知しない距離であるが、検出可能範囲の上限の距離を規定してもよい。検出可能範囲の上限の距離をＬｍａｘとすると、その距離Ｌｍａｘにおいても、手のひら（幅がＬ４）が温度検出部１１の視野角αをすべて遮るようになればよい。距離Ｌｍａｘと視野角αとの関係は、上記した式（１０）と同様に導出することで、
２×tan-1（（Ｌ４／２）／Ｌｍａｘ）  ＜  α  ・・・式（１１）
となる。
これら式（１０）および式（１１）から、
２×tan-1（（Ｌ４／２）／Ｌｍａｘ）＜α＜２×tan-1（（Ｌ４／２）／Ｌｍｉｎ）  ・・・式（１２）
が求まる。
【００４４】
つまり、視野角αの温度検出部１１を採用した場合には、式（１２）の関係を満たすＬｍａｘ、Ｌｍｉｎが、検出可能範囲の上限および下限になる。この場合、Ｌｍａｘが例えば５ｃｍ、Ｌｍｉｎが例えば１ｃｍであれば、照明制御装置１は、１ｃｍ〜５ｃｍの位置に手がかざされた場合に、切替操作が行われたと判定することになる。なお、検出可能範囲の上限の距離Ｌｍａｘが、誤判定しないための距離Ｌ３よりも大きくなるような場合には、いずれを優先するかを設計時に決定し、それに合わせて温度検出部１１の視野角αを適宜設定すればよい。
このように、照明制御装置１は、温度検出部１１で検出した検出温度の全てが手のひら判定温度に誤差範囲内で一致すると、切替操作が行われたと判定して、照明機器４の点灯状態および消灯状態を制御する。
【００４５】
以上説明した本実施形態によれば、次のような効果を奏する。
照明制御装置１は、空調機器が従来から備えている温度検出部１１にて検出した温度に基づいて切替条件が成立したかを判定している。このため、照明機器４を制御するために、人を検知するための新たな構成を追加する必要がなく、また、照明機器４の制御を兼用することで照明機器４用のスイッチも不要となる。つまり、照明制御装置１では、基本的には従来構成の操作パネル３のままで、照明機器４を点灯状態または消灯状態に切り替えることができ、トータルコストを低減することができる。
【００４６】
また、温度を取得するロジックや取得した温度が設定温度範囲から外れているか等のロジックは従来から用いられているロジックであり、照明制御装置１は、そこに、個別検出温度の全てが手のひら判定温度であるかを判定するステップ（ステップＳ２、Ｓ３）を追加している。そのため、照明機器４を制御するために新たなロジックを１から構築する必要は無い。そして、温度検出部１１による温度の検出および検出した温度が設定温度であるかの判定は従来から行われているため、負荷が増加するような処理が追加されることもない。
【００４７】
このように、照明制御装置１は、製造コストの大幅な増加を招くことなく、照明機器４用のスイッチを一体化できるため、人が最も操作しやすい位置に操作手段を配置することができ、使い勝手をよくすることができる。さらに、壁７に配置される部品点数を減らすことができるので、室内のデザインとの調和も取りやすくなり、人Ｍの満足度を向上させることができる。
【００４８】
照明制御装置１は、温度検出部１１の検出領域が遠方になるほど拡大するように形成されている。これにより、温度検出部１１に近い位置に人Ｍが居る場合にのみ検出領域の全てが人Ｍにより遮られる状態を作り出すことができる。すなわち、温度検出部１１で検出した温度が判定温度に一致するのは、温度検出部１１に近い位置に人Ｍが居る場合のみとなる。したがって、温度検出部１１から離間した位置に居る人Ｍが切替操作の判定対象となることがなく、切替操作が行われたと誤判定することを防止できる。
【００４９】
照明制御装置１は、温度検出部１１を、検出領域が遠方になるほど拡大する複数の赤外線温度センサ１１ａ〜１１ｃを、その検出領域が互いに異なるように配置して構成している。そして、それぞれの赤外線温度センサ１１ａ〜１１ｃにて個別に検出された温度である個別検出温度の全てが判定温度に一致すると、切替条件が成立したと判定する。この場合、それぞれの赤外線温度センサ１１ａ〜１１ｃにて検出した個別検出温度の全てが判定温度に一致するのは、人Ｍが温度検出部１１に近い位置に居る場合のみとなる。したがって、切替操作が行われたか否かを誤判定することを防止できる。
【００５０】
照明制御装置１は、判定温度として、人Ｍの手のひらの温度を設定する。人Ｍの手のひらの温度は概ね３５〜３６程度であると考えられる一方、空調機器の設定温度は一般的には３０℃程度までである。つまり、手のひらの温度と設定温度との間には大きな温度差があることから、手のひらの温度を判定温度に設定することによって、誤判定するおそれを低減することができる。
【００５１】
また、人Ｍが照明機器４を操作しようとする場合いは手のひらをかざすことが一般的であると考えられる。このため、手のひらの温度を検出したことは、温度検出部１１に手のひらが近づけられたこと、すなわち、切替操作が行われたことの裏付けともなる。したがって、切替操作が行われたと判定する際の確度を高めることができる。
【００５２】
温度検出手段の視野角αと人Ｍの厚みＬ１と、人Ｍの幅Ｌ２と、人Ｍとの距離Ｌ３とは、
α＞２×ｔａｎ-1（（Ｌ１／２）／（Ｌ３＋Ｌ２／２））
の式を満たしている。このため、距離Ｌ３の位置を人Ｍが横切ったとしても、検出領域の全体が人Ｍにより遮られることはない。したがって、切替操作が行われたと誤判定することを防止できる。
【００５３】
検出可能範囲の上限の距離Ｌｍａｘおよび下限の距離Ｌｍｉｎと、温度検出手段の視野角αと、手のひらの幅Ｌ４とを、
２×tan-1（（Ｌ４／２）／Ｌｍａｘ）＜α＜２×tan-1（（Ｌ４／２）／Ｌｍｉｎ）
の式を満たすようにしている。温度検出部１１の検出領域が図６（ｂ）に示すように１８０度近い確度であると、手のひらを近づけたとしても検出領域を全て覆うことができない可能性がある。その場合、切替操作を行ったとしても、その切替操作を検知できないおそれがある。そこで、検出可能範囲の上限および下限と、温度検出手段の視野角αと、手のひらの幅とを上記した式を満たすような関係とすることで、距離Ｌｍｉｎ〜距離Ｌｍａｘの範囲において検出領域の全体が手のひらにより遮られるようにすることができ、切替操作が行われたかを確実に判定できるようになる。
【００５４】
（その他の実施形態）
本発明は上記した一実施形態に限定されるものではなく、次のような変形または拡張が可能である。
一実施形態では照明機器４への電力を切り替えることで点灯状態および消灯状態を切り替える構成としたが、切替部１３は、照明機器４に対して点灯指示あるいは消灯指示等の情報を送信することで、照明機器４を点灯状態または消灯状態に切り替える構成としてもよい。また、切替部１３と照明機器４とを無線通信方式にて接続し、点灯指示あるいは消灯指示等の情報を無線通信にて指示する構成としてもよい。すなわち、切替部１３の構成は、照明機器４を点灯状態または消灯状態に切り替えるものであればよく、適宜選択することができる。
【００５５】
一実施形態では手のひらの幅Ｌ４にて規定したが、図１および図２に示すような高さ方向（手のひらの横方向。つまり、図６の場合、親指から小指に向かう紙面に垂直な方向）も考慮して、手のひらの面積をＬａとし、距離Ｌｍｉｎにおける検出領域の断面積Ｌｂ（温度検出部１１に正対した平面を想定した場合において、その平面上における検出領域の面積）が手のひらの面積Ｌａよりも小さくなるようにして検出可能範囲の下限を規定してもよい。また、距離Ｌｍａｘにより示される検出可能範囲の上限も、検出領域の断面積Ｌｂにより規定してもよい。
【００５６】
判定温度は、一実施形態で例示した手のひらの他に、人の露出部分の温度として手の甲の温度、顔の温度などに基づいて設定することができる。
【符号の説明】
【００５７】
図面中、１は照明制御装置、２は空調機本体（空調機器）、３は操作パネル（空調機器）、４は照明機器、１１は温度検出部（温度検出手段）、１１ａ〜１１ｄは赤外線温度センサ、１３は切替部（切替手段）、１４は温度取得部（温度取得手段）、１５は判定部（判定手段）、を示す。
【図１】
2014175073.tif 000003
【図２】
2014175073.tif 000004
【図３】
2014175073.tif 000005
【図４】
2014175073.tif 000006
【図５】
2014175073.tif 000007
【図６】
2014175073.tif 000008
【図７】
2014175073.tif 000009